(57)【要約】【課題】基板ケースの表裏を視認可能としつつ、不正な基板ケースの取り外しを防止できるとともに、製造コストを抑えることができる遊技機を提供する。【解決手段】スロットマシンＭは、各種制御のいずれかに係る電子回路基板６１と、電子回路基板６１を含む遊技用部材が収容される箱状の筐体１と、電子回路基板６１を、電子回路基板６１の表面および裏面を視認可能な状態で収容する基板ケース６２と、筐体１に設けられ、基板ケース６２を、電子回路基板６１の表面が視認可能となる位置と、裏面が視認可能となる位置との間で回動可能に支持する固定ベース１２０と、固定ベース１２０に取り付けられ、基板ケース６２の固定ベース１２０からの取り外しを規制する封印部材１３０と、を備え、基板ケース６２を固定ベース１２０から取り外す際に痕跡が残るようになっている。【選択図】図３
2018102495.tif 000002
【特許請求の範囲】
【請求項１】
各種制御のいずれかに係る電子回路基板と、
前記電子回路基板を含む遊技用部材が収容される箱状の筐体と、
前記電子回路基板を、前記電子回路基板の表面および裏面を視認可能な状態で収容する基板ケースと、
前記筐体に設けられ、前記基板ケースを、前記電子回路基板の表面が視認可能となる位置と、前記電子回路基板の裏面が視認可能となる位置との間で回動可能に支持する固定ベースと、
前記固定ベースに取り付けられ、前記基板ケースの前記固定ベースからの取り外しを規制する封印部材と、を備え、
前記基板ケースを前記固定ベースから取り外す際に痕跡が残るようになっていることを特徴とする遊技機。
【請求項２】
前記基板ケースは、回動軸を備え、
前記固定ベースは、前記回動軸を軸心周りに回転可能に支持する軸受部を備え、
前記封印部材は、前記軸受部に前記回動軸が回転可能に係合した状態で、前記軸受部から前記回動軸を取り外せないように、前記回動軸および前記軸受部を覆った状態で、固着具によって、前記固定ベースに取り付けられており、
前記固着具の、前記固定ベースとの接合部分が視認可能となっているとともに、前記固着具を取り外す際に痕跡が残るようなっていることを特徴とする請求項１に記載の遊技機。
【発明の詳細な説明】
【技術分野】
【０００１】
本発明は、基板を収容する基板ケースを備えた遊技機に関する。
【背景技術】
【０００２】
従来、遊技機においては、遊技を制御するための基板を、基板の不正な改造等を防ぐために、外部から容易に触れることができないように基板ケースに封入することが知られている。
このような基板を封入した基板ケースを、遊技機の筐体に動かないように固定して設置してしまうと、基板ケースや基板の裏側（筐体側の面）を見ることができず、基板ケースが開けられる等して、基板の裏面に改造が施されたり、基板ケースに封入された基板が基板の裏側に改造が施された基板と交換されたり、基板ケースの表側から見えない部分に不正な制御を行うための子基板が仕込まれたりした場合や、基板ケースごと不正な基板を収容した基板ケースに交換された場合等に、気付きにくいという問題がある。これに対し、基板ケースや基板の裏側が見えるように、基板ケースを遊技機の筐体に回動可能に設けることが知られている（例えば、特許文献１）。このようにすることで、基板ケースを回動させて裏側を見ることができるので、日々の点検等において、基板ケースや基板の裏側を視認することができ、基板に不正な改造が行われていないか等を、容易に確認することができる。
【０００３】
また、基板ケースを、遊技機から容易に取り外すことができてしまうと、この基板ケースを不正な基板を収容した基板ケースとすり替えるといった不正が行われる可能性が高くなってしまうという問題がある。これに対し、特許文献１には、基板ケースと、遊技機筐体の背板に固定される固定ベースと、固定ベースに回動可能に支持されるとともに基板ケースが取り付けられる可動ベースとを備え、固定ベースと、可動ベースと、基板ケースとが一体的に組み付けられた状態において、基板ケースに設けられた規制部によって、固定ベースから可動ベースが取り外されることを規制することで、固定ベースから可動ベースごと基板ケースが取り外されるのを防止することが記載されている。
【先行技術文献】
【特許文献】
【０００４】
【特許文献１】特開２０１０−２８４３８２
【発明の概要】
【発明が解決しようとする課題】
【０００５】
ところで、特許文献１に記載の従来の遊技機では、基板ケースに設けられた板状片（規制部）を、固定ベースの回転軸と可動ベースの係止板との間に形成された隙間に差し込んだ後に、基板ケースを可動ベースに向けて押し込み、さらに基板ケースと可動ベースとをネジによって固定することで、可動ベースおよび基板ケースが固定ベースから取り外されるのを防止している。このため、基板ケースに板状片を設けたり、可動ベースに係止板を設けたりする必要があり、基板ケースや可動ベース等の構造が複雑になり、製造コストが増加してしまうという問題がある。
また、基板ケースを、固定ベースおよび可動ベースに対して取り付ける際に、回動可能な可動ベースと固定ベースとの間に板状片を差し込んだり、回動可能な可動ベースに基板ケースをネジ止めしたりする必要があるので、可動ベースが動いてしまう等して基板ケースの取り付けが困難となり、製造コストが増加してしまうという問題がある。
【０００６】
本発明は、前記事情に鑑みてなされたもので、基板ケースの表裏を視認可能としつつ、不正な基板ケースの取り外しを防止できるとともに、製造コストを抑えることができる遊技機を提供することを目的とする。
【課題を解決するための手段】
【０００７】
前記課題を解決するために本発明の遊技機は、各種制御のいずれかに係る電子回路基板と、前記電子回路基板を含む遊技用部材が収容される箱状の筐体と、前記電子回路基板を、前記電子回路基板の表面および裏面を視認可能な状態で収容する基板ケースと、前記筐体に設けられ、前記基板ケースを、前記電子回路基板の表面が視認可能となる位置と、前記電子回路基板の裏面が視認可能となる位置との間で回動可能に支持する固定ベースと、前記固定ベースに取り付けられ、前記基板ケースの前記固定ベースからの取り外しを規制する封印部材と、を備え、前記基板ケースを前記固定ベースから取り外す際に痕跡が残るようになっていることを特徴とする。
【０００８】
このような構成によれば、電子回路基板は、表面および裏面が視認可能な状態で基板ケースに収容され、固定ベースは、基板ケースを、前記電子回路基板の表面が視認可能となる位置と、前記電子回路基板の裏面が視認可能となる位置との間で回動可能に支持するので、基板ケースを回動させて、基板ケース内の電子回路基板や基板ケースの表裏を目視で確認することができる。
また、封印部材が固定ベースに取り付けられ、基板ケースの固定ベースからの取り外しを規制し、基板ケースを固定ベースから取り外す際に痕跡が残るようになっているので、不正な基板ケースの取り外しを防止できる。
また、基板ケースの固定ベースからの取り外しを、封印部材によって規制するので、基板ケースの構造を簡単にすることができ、製造コストを抑えることができる。
また、封印部材は、筐体に設けられた固定ベースに取り付けられるので、回動する部材に取り付ける場合よりも容易に取り付けることができ、製造コストを抑えることができる。
【０００９】
また、本発明の前記構成において、前記基板ケースは、回動軸を備え、前記固定ベースは、前記回動軸を軸心周りに回転可能に支持する軸受部を備え、前記封印部材は、前記軸受部に前記回動軸が回転可能に係合した状態で、前記軸受部から前記回動軸を取り外せないように、前記回動軸および前記軸受部を覆った状態で、固着具によって、前記固定ベースに取り付けられており、前記固着具の、前記固定ベースとの接合部分が視認可能となっているとともに、前記固着具を取り外す際に痕跡が残るようになっていることが好ましい。
【００１０】
このような構成によれば、固着具の固定ベースとの接合部分が視認可能となっているので、固着具が壊されたり取り外されたりした場合に、当該接合部分を見ることで、固着具が壊されたり取り外されたりしたことを容易に確認することができる。したがって、不正な基板ケースの取り外しを抑制することができるとともに、不正な基板ケースの取り外しが行なわれた場合には、すぐに発見することができる。
【発明の効果】
【００１１】
本発明の遊技機によれば、基板ケースの表裏を視認可能としつつ、不正な基板ケースの取り外しを防止できるとともに、製造コストを抑えることができる。
【図面の簡単な説明】
【００１２】
【図１】本発明の実施の形態に係る遊技機の一例を示すもので、その斜視図である。
【図２】同、前扉を開いた状態の斜視図である。
【図３】同、基板ユニットと、固定ベースと、封印部材とを示す分解斜視図である。
【図４】同、第一ケースを後側から見た斜視図である。
【図５】同、第二ケースを前側から見た斜視図である。
【図６】同、固定ベースを後側から見た斜視図である。
【図７】同、封印部材を前側から見た斜視図である。
【図８】同、固定ベースへの封印部材の取付状態を示す図である。
【図９】同、固定ベースと、基板ユニットと、固定ベースと、組み立てた状態を示す斜視図である。
【図１０】同、通常時の固定ベースと、基板ユニットと、固定ベースと、を下から見た断面図である。
【図１１】同、９０度回動時の固定ベースと、基板ユニットと、固定ベースと、を下から見た断面図である。
【発明を実施するための形態】
【００１３】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１４】
まず、発明が適用されるスロットマシンＭの概略構成について説明する。
図１はスロットマシンＭを示す斜視図、図２は前扉を開いた状態のスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００１５】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
筐体１内には、リールユニット２２と基板ユニット６０とが設けられている。また、リールユニット２２は、周囲に複数の図柄を表示した３個の回転リール２２ａと、回転リール２２ａを回転させるための駆動モータ（ステッピングモータ）を有している。
また、基板ユニット６０は、ＣＰＵ、ＲＯＭ、ＲＡＭ、Ｉ／Ｏ等の電子部品を備えた基板を、基板ケースに収納したものである。そして、基板ユニット６０は、スロットマシンＭの遊技を制御するための遊技制御装置として機能する。
【００１６】
図１に示すように、上扉３０の下部には表示窓３１が設けられている。この表示窓３１は上側ほど後側に向かうように水平面に対して傾斜して設けられ、この表示窓３１の奥には、前記３個の回転リール２２ａが横一列に設けられている。各回転リール２２ａの外周面には複数種類の図柄が配列されており、回転リール２２ａが停止すると表示窓３１を通して１リール当たり３個の図柄が表示される。スロットマシンＭでは、横３本と斜め２本とからなる計５本の入賞有効ラインが設定されている。
そして、３個の回転リール２２ａが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニット２０（図２参照）の表示面を見るために設けられたものであり、この表示ユニット２０では、その表示面に遊技機における演出用の画像が表示されるようになっている。
また、上扉３０の表示窓３２の上部には、報知や演出などを行うための照明装置３４，３５，３４が左右に隣接して設けられ、表示窓３２と表示窓３１との間には報知や演出などを行うための横長の照明装置３６が設けられている。
さらに、表示窓３１の左右両側には報知や演出などを行うための照明装置３７が設けられている。
また、上扉３０の左右両側部には、報知や演出などを行うための照明装置３８が合計４個設けられている。なお、図１においては、右側の照明装置３７は右側下の照明装置３８と重なって図示されていないが、実際は右側にも左側と同様の照明装置３７が設けられている。
【００１７】
また、上扉３０は、図２に示すように、筐体１にヒンジ３９，３９を介して回動可能に連結されることで、筐体１の開口上部を開閉するようになっている。また、下扉４０は筐体１にヒンジ３９，３９を介して回動可能に連結されることで、筐体１の開口下部を開閉するようになっている。なお、前扉３を上扉３０と下扉４０に分けない一体の構造としてもよい。
【００１８】
また、上扉３０の下端部には、下扉４０の前面より後方側で下扉４０の上端より下側に突出する係合部が設けられ、下扉４０が閉じた状態で、上扉３０を開放することができない構造になっている。
【００１９】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リール２２ａの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２０】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２１】
次に、図３に示す基板ユニット６０について説明する。
スロットマシンＭは、上述の基板として、小役、ボーナス役等の役の当否の抽選や、リールユニット２２、ホッパーユニット５の制御等を行う遊技制御基板（電子回路基板６１）を備えている。基板ユニット６０は、この電子回路基板６１と、薄い箱状の基板ケース６２とを備え、電子回路基板６１が基板ケース６２に封入された状態で、筐体１の背板の筐体１の内面となる側の面の上部に設けられている。
なお、基板ユニット６０は、筐体１内の他の部分に設けられていてもよく、スペース的に基板ユニット６０が配置可能ならば、例えば、底板、左右の側板の一方、天板、前扉３の後側の面等に設けられていてもよい。また、基板ユニット６０は、筐体１の背板、底板、左右の側板の一方、天板、前扉３の後側の面等に直接設けられるのではなく、別の部材を介して設けられていてもよい。
【００２２】
また、筐体１は、その付属品等を除く本体が樹脂により一体成形されており、筐体１内には、電源ユニット４、表示ユニット２０、リールユニット２２、ホッパーユニット５、基板ユニット６０等が遊技用部材として収容されている。
なお、通常時は、基板ユニット６０は、後述する第二ケース６４の背面板９０が、後述する固定ベース１２０の固定ベース本体前面１２１ａに当接した状態で、筐体１の背板と、後述する第一ケース６３の前面板６５と、第二ケース６４の背面板９０と、電子回路基板６１と、が略平行となるように配置されており、以下において、各部材について上下左右または前後の方向を用いて説明するときは、基本的に、この通常時における上下左右および前後を意味するものとする。
【００２３】
基板ケース６２は、第一ケース６３と第二ケース６４とを備えている。
第一ケース６３は、図４に示すように、略長方形の板状の前面板６５と、前面板６５よりも幅の狭い４つの略長方形の板状の側面板６６ａ，６６ｂ，６６ｃ，６６ｄと、を備えている。また、４つの側面板６６ａ，６６ｂ，６６ｃ，６６ｄは、それぞれ前面板６５の上下左右の辺それぞれから、後方に向けて前面板６５に対して垂直に延びるようにして、前面板６５と一体的に設けられている。そして、第一ケース６３は、これら、前面板６５と、４つの側面板６６ａ，６６ｂ，６６ｃ，６６ｄとによって、後側（筐体１の背板側）が開口した左右に長く高さの低い箱状となっている。
【００２４】
上側の側面板６６ａの上面には、左端部側から右側に向けて延びる左右に長尺なＬ字状の係止部６７が設けられており、この係止部６７と側面板６６ａとによって、これらの間にスライド溝６８が形成されている。また、下側の側面板６６ｂの下面には、左端部側から右端部に向けて延びる左右に長尺なＬ字状の係止部６９が設けられており、この係止部６９と側面板６６ｂとによって、これらの間にスライド溝７０が形成されている。
【００２５】
右側の側面板６６ｄの上端部および下端部にはそれぞれ、３枚の板（支持板７１ａ，７１ｂ，７１ｃ）をコの字状に接合してなる回動軸支持部７１が、コの字の開口部を右側に向けた状態で設けられている。また、上側に設けられた回動軸支持部７１は、回動軸支持部７１の左側の支持板７１ａが一部、上側の側面板６６ａよりも上方に突出するようにして設けられている。また、下側に設けられた回動軸支持部７１は、回動軸支持部７１の左側の支持板７１ａが一部、下側の側面板６６ｂよりも下方に突出するようにして設けられている。また、支持板７１ａには、スリット状の係止穴７１ｄが設けられている。
回動軸支持部７１の上側の支持板７１ｂと下側の支持板７１ｃとの間には、丸棒状の回動軸７２が設けられている。また、回動軸７２は、軸を上下に向けた状態で、軸の両端がそれぞれ、支持板７１ｂの下面右後方の隅部と支持板７１ｃの上面右後方の隅部とに接合されている。
【００２６】
また、右側の側面板６６ｄの中央部には、側面板６６ｄから右側に突出するようにして、上下に長尺な長方形の板状の突出片７３が設けられている。また、この突出片７３の略中央部には、ネジを挿通するためのネジ挿通孔７３ａが設けられている。
また、右側の側面板６６ｄには、突出片７３の上下端にそれぞれ隣接するようにして、ネジ挿通孔７４ａを備えるネジ挿通部７４が２つ設けられている。また、２つのネジ挿通部７４は、それぞれ、上側または下側の回動軸支持部７１に隣接している。
つまり、右側の側面板６６ｄには、側面板６６ｄから右側に突出するようにして、上側から順に、回動軸支持部７１、ネジ挿通部７４、突出片７３、ネジ挿通部７４、回動軸支持部７１が互いに隣接した状態で設けられている。
【００２７】
また、左側の側面板６６ｃには、側面板６６ｃから左側に突出するようにして、ネジ挿通孔７５ａが設けられた２つのネジ挿通部７５が上下に離間した状態で設けられている。
【００２８】
前面板６５には、後側の面（前面板裏面６５ｂ）の４隅部および下辺側の中心部に、前面板６５から後方に向けて突出するようにして、円柱状の突出部８０が設けられており、この突出部８０の後端面には、ネジを螺合するための、ネジ孔が設けられている。
【００２９】
また、前面板６５の右下部分には、後側に向けて左右に長い略直方体状に凹んだ（後側に向けて突出した）部分（凹部８１）が設けられている。また、前面板６５の左下部分にも、後側に向けて略直方体状に凹んだ（後側に向けて突出した）部分（凹部８２）が設けられている。また、これら２つの凹部８１，８２には、電子回路基板６１に備えられた図示しない配線コネクタおよび配線コネクタに繋がれた配線を通すための、配線用開口部８３が設けられている。
【００３０】
また、前面板６５の右上部分には、電子回路基板６１に備えられた、スイッチや、設定キー挿し込み部等を基板ケース６２の外部に露出させるための、３つのスイッチ用開口部８４が設けられている。ここで、設定キー挿し込み部とは、スロットマシンＭの遊技の設定を変える時に使用するものであり、ここに設定変更用の鍵を挿し込んで回すことで、遊技の設定を変えることが可能な状態とすることができるようになっている。また、前面板裏面６５ｂには、前面板裏面６５ｂから後方に向けて突出するとともに、３つのスイッチ用開口部８４を囲うようにして、基板支持用壁部８５が設けられており、この基板支持用壁部８５と、側面板６６ａ，６６ｄとによって、３つのスイッチ用開口部８４が囲まれた状態となっている。また、第一ケース６３の表面（前面板表面６５ａ）には、３つのスイッチ用開口部８４のうちの２つを覆うようにして、鍵カバー８６が開閉可能に設けられている（図３参照）。これにより、電子回路基板６１が基板ケース６２に封入された状態において、鍵カバー８６を開けることで、スイッチ用開口部８４から露出したスイッチを操作したり、設定キー差し込み部に鍵を差し込んだりすることが可能となっている。
【００３１】
また、５つの突出部８０の後端面と、２つの凹部８１，８２の後端面と、基板支持用壁部８５の後端面とは、面一となっており、これらの面に電子回路基板６１が当接するようになっている。また、４つの側面板６６ａ，６６ｂ，６６ｃ，６６ｄの後端部は、５つの突出部８０の後端面、２つの凹部８１，８２の後端面、および基板支持用壁部８５の後端面よりも、後側に位置している。これにより、電子回路基板６１が基板ケース６２に封入された状態において、前面板６５と電子回路基板６１との間および後述する背面板９０と電子回路基板６１との間には、隙間ができるようになっており、電子回路基板６１に備えられた各種電子部品が、基板ケース６２に当たらないようになっている。
【００３２】
第一ケース６３は、透明な合成樹脂によって、全ての部材が一体的に成形されている。すなわち、前面板６５と、側面板６６ａ，６６ｂ，６６ｃ，６６ｄと、係止部６７，６９と、回動軸支持部７１と、回動軸７２と、突出片７３と、ネジ挿通部７４，７５と、は透明な合成樹脂によって、一体的に成形されている。
【００３３】
第二ケース６４は、図５に示すように、略長方形の板状の背面板９０と、背面板９０よりも幅の狭い３つの略長方形の板状の側面板９１ａ，９１ｂ，９１ｃと、を備えている。また、３つの側面板９１ａ，９１ｂ，９１ｃは、それぞれ背面板９０の上下および左側の辺それぞれから、前方に向けて背面板９０に対して垂直に延びるようにして、背面板９０と一体的に設けられている。
【００３４】
上側の側面板９１ａの前端部には下側に向けて突出するようにして、３つの係止板９２が左右に離間して設けられている。また、下側の側面板９１ｂの前端部には上側に向けて突出するようにして、３つの係止板９２が左右に離間して設けられている。
また、背面板９０の前側の面の上部には、前方に突出するようにして、２つのスライド板９３が、側面板９１ａと平行に設けられている。また、背面板９０の前側の面の下部には、前方に突出するようにして、３つのスライド板９３が、側面板９１ｂと平行に設けられている。
【００３５】
背面板９０の右側の辺の中央部には、背面板９０から右側に突出するようにして、上下に長尺な長方形の板状の突出片９４が設けられている。また、この突出片９４の略中央部には、前方に向けて突出するようにして、円柱状の突出部９５が設けられており、この突出部９５の前端面には、ネジを螺合するための、ネジ孔９５ａが設けられている。また、背面板９０の右側の辺には、突出片９４を挟んで、上下に離間した２つの係止板９６が設けられている。
また、左側の側面板９１ｃには、側面板９１ｃから左側に突出するようにして、２つの長方形状の板状の突出片９７が、上下に離間して設けられている。また、この突出片９７の略中央部には、後側に向けて突出するようにして突出部が設けられており、突出片９７の前面から、この突出部にかけて、ネジを螺合するためのネジ孔９７ｂが設けられている。
【００３６】
第二ケース６４は、透明な合成樹脂によって、全ての部材が一体的に成形されている。すなわち、背面板９０と、側面板９１ａ，９１ｂ，９１ｃと、係止板９２と、スライド板９３と、突出片９４，９７と、係止板９６と、は、透明な合成樹脂によって、一体的に成形されている。
【００３７】
電子回路基板６１は、いわゆるメイン基板であり、表面および／または裏面にＣＰＵ、ＲＯＭ、ＲＡＭ、Ｉ／Ｏ等の電子部品が実装された略長方形板状の部材である。また、電子回路基板６１は、図３に示すように、４隅部および下辺側の中央部に、ネジ挿通孔１００ａを備えている。
【００３８】
ここで、電子回路基板６１と、第一ケース６３と、第二ケース６４との組み立て方法について説明する。
まず、電子回路基板６１は、５つのネジ挿通孔１００ａに挿通された５つのネジがそれぞれ、第一ケース６３の突出部８０に設けられたネジ孔と螺合することによって、第一ケース６３に固定される。このとき電子回路基板６１の前側の面（表面）は、第一ケース６３の５つの突出部８０の後端面と、２つの凹部８１，８２の後端面と、基板支持用壁部８５の後端面と、に当接した状態となる。
【００３９】
次いで、第一ケース６３は、第一ケース６３の係止部６７および係止部６９がそれぞれ、第二ケース６４の背面板９０と側面板９１ａに設けられた３つの係止板９２との間、または、背面板９０と側面板９１ｂに設けられた３つの係止板９２との間に位置するように、かつ、第一ケース６３のスライド溝６８またはスライド溝７０に、第二ケース６４の背面板９０の上部に設けられたスライド板９３または下部に設けられたスライド板９３が嵌まるようにして、第二ケース６４の右側から、第二ケース６４に挿入される。そして、第一ケース６３の左側の側面板６６ｃの外面に、第二ケース６４の左側の側面板９１ｃが当接するまで、第一ケース６３が挿し込まれる。このとき、回動軸支持部７１の支持板７１ａに、第二ケース６４の背面板９０の右側の辺、側面板９１ａの右端および側面板９１ｂの右端が当接するとともに、２つの回動軸支持部７１の支持板７１ａの係止穴７１ｄそれぞれに、第二ケース６４の右側の辺に上下に離間して設けられた２つの係止板９６のそれぞれが挿入された状態となる。
【００４０】
次いで、第二ケース６４に挿入された第一ケース６３は、第一ケース６３のネジ挿通孔７３ａ，７５ａ，７５ａそれぞれに挿通された３つのネジ１０２（図３参照）が、３つのネジ孔９５ａ，９７ｂ，９７ｂと螺合することによって、第二ケース６４と固定される。そして、これにより、電子回路基板６１と、第一ケース６３と、第二ケース６４と、が一体となった基板ユニット６０となる。
【００４１】
また、突出片７３および突出片９４には、ネジ孔９５ａと螺合したネジ１０２の頭を覆うようにして、封印シールが貼られる。このため、ネジ１０２を外す際には、封印シールを剥がさなければならないので、封印シールが剥がされたか確認することで、ネジ１０２を外されたか確認できるようになっている。また、ネジ孔９８ａと螺合したネジ１０２の頭には、外した際に外した痕跡が残る蓋が取り付けられる。このため、ネジ１０２を外す際には、蓋を外さなければならず、蓋が外された痕跡を確認することで、ネジ１０２が外されたか確認できるようになっている。
なお、ネジ１０２をワンウェイネジとしてもよい。すなわち、基板ケース６２が開けられないように、第一ケース６３と第二ケース６４とが固定されているか、開けられた場合に痕跡が残るようになっているのが望ましく、不正行為を行うことが極力困難となっていればよい。
【００４２】
基板ケース６２には、ネジ１０２の頭を覆うようにして貼られた封印シールを覆うように、かつ、第一ケース６３の突出片７３の前面ならびに突出片７３および突出片９４の右側部を覆うようにして、断面Ｌ字の板状の封印シールカバー１１０が設けられている（図３参照）。
また、封印シールカバー１１０の上端部および下端部には、ネジ孔が設けられた突出部１１１が、後方に向けて突出するようにして設けられている。また、突出部１１１のネジ孔には、第一ケース６３の２つのネジ挿通孔７４ａ（図４参照）それぞれに挿通されたネジが、螺合しており、これにより、封印シールカバー１１０が、第一ケース６３に固定されている。
【００４３】
次に、基板ユニット６０の、筐体１への取り付け構造について説明する。基板ユニット６０は、固定ベース１２０を介して筐体１に取り付けられている。また、基板ユニット６０は、かしめピン１４０（固着具）によって固定ベース１２０に取り付けられた軸封印部材１３０（封印部材）によって、固定ベース１２０からの取り外しが規制されている（図３および図９参照）。
固定ベース１２０は、図３および図６に示すように、略長方形の板状の固定ベース本体１２１と、回動軸係止部１２２と、かしめピン係止部１２５と、接続部１２４と、を備えている。また、固定ベース１２０は、透明な合成樹脂によって、全ての部材が一体的に成形されている。すなわち、固定ベース本体１２１と、回動軸係止部１２２と、かしめピン係止部１２５と、は、透明な合成樹脂によって、一体的に成形されている。
また、接続部１２４は、固定ベース本体１２１から右側に突出するようにして設けられた板状部であり、接続部前面１２４ａが、固定ベース本体前面１２１ａよりも後側に位置している。
【００４４】
かしめピン係止部１２５は、接続部１２４を介して、固定ベース１２０の右側中央部に設けられている。また、かしめピン係止部１２５は、かしめピン係止部前面１２５ａが、接続部前面１２４ａおよび固定ベース本体前面１２１ａよりも前側に位置しており、固定ベース本体１２１側に、接続部１２４からかしめピン係止部前面１２５ａにかけて立設された壁部１２６を備えている。
また、かしめピン係止部１２５の裏面１２５ｂ側には、かしめピン係止部裏面１２５ｂから後方に向けて垂直に突出するように、かつ、上下方向に延びるようにして設けられた板状の部分である、かしめピン係止板１２７が、壁部１２６と平行に設けられている。また、かしめピン係止板１２７には、上下に離間して、２つのかしめピン係止穴１２８が設けられている。
【００４５】
回動軸係止部１２２は、接続部１２４を介して、固定ベース１２０の右側に、かしめピン係止部１２５を挟むようにして、上下に離間して２つ設けられている。また、回動軸係止部１２２は、長方形の板状の回動軸係止部側面板１２２ａと、長方形の板状の回動軸係止部前面板１２２ｂと、Ｌ字の板状の回動軸係止部上面板１２２ｃと、Ｌ字の板状の回動軸係止部下面板１２２ｄと、を備える。
回動軸係止部側面板１２２ａは、接続部前面１２４ａから前方に向けて延びるようにして、各面が左右を向いた状態で設けられている。また、回動軸係止部前面板１２２ｂは、回動軸係止部側面板１２２ａの前端部から右方に向けて延びるようにして設けられている。また、回動軸係止部上面板１２２ｃと回動軸係止部下面板１２２ｄとは、回動軸係止部側面板１２２ａおよび回動軸係止部前面板１２２ｂに沿うようにして、これらの上端部または下端部に設けられている。
回動軸係止部上面板１２２ｃと回動軸係止部下面板１２２ｄとには、Ｌ字状の屈曲部内側部分に、前側方向に向けて回動軸７２の外径より僅かに大きな内径を有する略半円状に凹んだ、回動軸７２が係止される軸受部１２３が設けられている。
【００４６】
軸封印部材１３０は、図７に示すように、回動軸７２を覆う、２つの回動軸覆部１３１と、かしめピン１４０を覆う、かしめピン覆部１３２と、を備える。また、軸封印部材１３０は、透明な合成樹脂によって、全ての部材が一体的に成形されている。すなわち、回動軸覆部１３１と、かしめピン覆部１３２とは、透明な合成樹脂によって、一体的に成形されている。
かしめピン覆部１３２は、断面Ｌ字の板状部であり、かしめピン係止部１２５の２つのかしめピン係止穴１２８それぞれに対向する位置に、かしめピン嵌入部１３３が設けられている。かしめピン嵌入部１３３は、かしめピン１４０の頭部１４１を嵌入可能な凹部１３３ａと、この凹部１３３ａの中心部に設けられたかしめピン１４０を挿通可能であって、頭部１４１を挿通不可能な（頭部１４１よりも小面積な）かしめピン挿通穴１３３ｂとを備えている。
また、かしめピン覆部１３２には、Ｌ字をなす２つの面に対して垂直に接するようにして４つの補強板１３４が上下に離間して設けられており、かしめピン覆部１３２を補強している。
【００４７】
かしめピン覆部１３２の上端部および下端部にはそれぞれ、回動軸覆部１３１が設けられている。また、回動軸覆部１３１には、右後方に向けて軸受部１２３と略等しい内径の円の四分円状に凹んだ覆部側軸受部１３５が設けられている。また、この覆部側軸受部１３５の後端部から真っ直ぐ左側に向けて延出するようにして、延出部１３６が設けられている。また、回動軸覆部１３１は、上下方向の長さが、回動軸係止部上面板１２２ｃと回動軸係止部下面板１２２ｄとの間隔よりも短くなっている。そして、軸封印部材１３０と、固定ベース１２０とが固定された状態において、延出部１３６が、回動軸係止部上面板１２２ｃと回動軸係止部下面板１２２ｄとの間に入り込むことで、延出部１３６が、軸受部１２３の左端よりも左側に配置されるとともに、軸受部１２３と、覆部側軸受部１３５と、延出部１３６とによってできる、回動軸７２の外径より僅かに大きな内径を有する略円状の断面を有する空間に、回動軸７２が配置される（図１０参照）。これにより、回動軸７２が、覆部側軸受部１３５と軸受部１２３とによって回動可能に支持されている。また、延出部１３６が、軸受部１２３の左端よりも左側に位置することで、回動軸覆部１３１と、回動軸係止部１２２との間に隙間ができるのを塞ぎ、回動軸７２が、回動軸覆部１３１および回動軸係止部１２２から抜け落ちるのを防止するようになっている。
【００４８】
軸封印部材１３０は、図８に示すように、２つのかしめピン１４０によって、固定ベース１２０に取り付けられ、固定ベース１２０に固定される。
かしめピン１４０は、略正方形板状の頭部１４１と、頭部１４１の中心部から頭部１４１に垂直に延びる棒状の挿通部１４２と、挿通部１４２の先端部から、頭部１４１側に向けて広がるようにして設けられたかしめ部１４３とを備え、挿通部１４２とかしめ部１４３とが矢印状に成形されている。また、かしめピン１４０は、弾性を有し、かしめ部１４３の頭部１４１側の広がった部分が、細い場所を通す際等、押さえつけられたときには縮径し、押さえつけが無くなると、広がるようになっている。
かしめピン１４０は、軸封印部材１３０のかしめピン挿通穴１３３ｂおよび固定ベース１２０のかしめピン係止穴１２８に、かしめ部１４３が挿通されかしめピン１４０のかしめ部１４３が、かしめピン係止板１２７に係止されることによって、軸封印部材１３０を固定ベース１２０に固定するようになっている。このとき、挿通部１４２（かしめ部１４３）の先端が、壁部１２６に当接するとともに、頭部１４１が、凹部１３３ａに嵌入した状態となっている。また、頭部１４１の、挿通部１４２が設けられた面と逆側の面（以下、頭部１４１の上面という）は、軸封印部材１３０（かしめピン覆部１３２）の表面と面一、または、この表面よりも頭部１４１の上面が凹部１３３ａ側（図８において左側）に凹んだ状態になっており、頭部１４１の上面以外の部分に触れることができないようになっている。
【００４９】
また、かしめピン１４０は、軸封印部材１３０と固定ベース１２０とを固定した状態において、かしめピン１４０の側面（頭部１４１、挿通部１４２およびかしめ部１４３が見える面）側にくる部材であるかしめピン係止部１２５が透明であるため、かしめピン１４０の側面が、見えるようになっている。また、かしめ部１４３が、かしめピン係止板１２７に係止されている部分が見えるようになっている。
なお、かしめピン１４０は、かしめピン係止板１２７に係止されているのがわかりやすいように、色が付いている（有色の透明も含む）ことが望ましい。
また、かしめピン１４０は、かしめピン係止穴１２８に挿通されると、かしめ部１４３が広がって、かしめピン１４０を引き抜くことができないようになり、無理に引き抜くとかしめ部１４３や頭部１４１が破壊されるので、引き抜いた痕跡が残るようになっている。
なお、かしめピン１４０は、引き抜かれた後、他のかしめピン等と交換されることがないように、例えば、出所を示す刻印など、出所を特定できる目印が付されていることが望ましい。また、かしめピン１４０は、矢印状でなくても、かしめピン係止板１２７に係止され、基本的に破壊することなく引き抜くことができない構造となっていればよい。
【００５０】
上述のように、基板ユニット６０は、固定ベース１２０を介して筐体１に取り付けられ、軸封印部材１３０によって、固定ベース１２０からの取り外しが規制される。ここで、基板ユニット６０の筐体１への取付方法について説明する。
まず、固定ベース１２０は、筐体１の背板に、ネジ止めによって、固定される。なお、このネジ止めには、ワンウェイネジを用いたり、あるいは、ネジ止めしたネジのアタマに外した際に痕跡が残る蓋を取り付けたりする等して、固定ベース１２０が筐体１から外された際に、その痕跡が残るようにすることが望ましい。
【００５１】
次いで、固定ベース１２０に、基板ケース６２が取り付けられる。このとき、まず、第二ケース６４の、背面板９０が、固定ベース本体前面１２１ａと当接していない状態、すなわち、例えば、背面板９０を固定ベース本体前面１２１ａに対して略垂直に立てた状態で、上下に離間して設けられた２つの回動軸７２をそれぞれ、上下に離間して設けられた２つの回動軸係止部１２２の軸受部１２３それぞれに係止させる。そして、それぞれの回動軸７２を、それぞれの軸受部１２３に係止させた状態を維持したまま、回動軸７２を回動中心として、基板ケース６２を回動させ、背面板９０と、固定ベース本体前面１２１ａとを当接させる。なお、固定ベース１２０への基板ケース６２の取り付けおよび取り外しは、このように、背面板９０を固定ベース本体前面１２１ａに対して立てた状態でないと行えないようになっている。
【００５２】
次いで、固定ベース１２０に、軸封印部材１３０が取り付けられる。軸封印部材１３０は、上下に離間して設けられた２つの回動軸覆部１３１の延出部１３６がそれぞれ、固定ベース１２０の上下に離間して設けられた回動軸係止部１２２の回動軸係止部上面板１２２ｃと回動軸係止部下面板１２２ｄとの間に入り込むように、固定ベース１２０の右側から挿入される。これにより、軸封印部材１３０が、覆部側軸受部１３５と軸受部１２３とで、回動軸７２を挟むようにして配置されるとともに、延出部１３６の左端が、軸受部１２３の左端よりも左方に位置することとなる。また、このとき、延出部１３６があることによって、軸封印部材１３０を一旦回動軸７２よりも後方に下げることなく、固定ベース１２０の右側から左方に向けて真っ直ぐ滑らせるようにして軸封印部材１３０を固定ベース１２０に取り付けることが可能となる（図１０参照）。
そして、軸封印部材１３０の右側から、かしめピン１４０を挿入し、軸封印部材１３０および固定ベース１２０にかしめピン１４０を挿通させることで、軸封印部材１３０が固定ベース１２０に固定される。
【００５３】
基板ユニット６０と、固定ベース１２０と、軸封印部材１３０とを、一体的に組み立てた状態の斜視図を図９に示す。図９からわかるように、基板ケース６２は、その裏面側が固定ベース１２０に沿って視認することができない状態にすることができる。
【００５４】
また、このような、基板ユニット６０と、固定ベース１２０と、軸封印部材１３０とを、一体的に組み立てた状態であって、第二ケース６４の背面板９０（基板ケース６２）が、固定ベース１２０の固定ベース本体前面１２１ａに当接した状態（基板ケース６２を回動させていない状態）である、通常時の基板ユニット６０、固定ベース１２０および軸封印部材１３０を下から見た断面図を図１０に示す。また、回動時の一例として、背面板９０（基板ケース６２）が、固定ベース本体前面１２１ａに対して９０度開いた状態の基板ユニット６０、固定ベース１２０および軸封印部材１３０を下から見た断面図を図１１に示す。なお、図１０および図１１においては、各部材の向きがわかりやすいように、かしめピン１４０を奥まで挿し込んでいない状態を示している。
【００５５】
図１０および図１１を見るとわかるように、このような構成の遊技機によれば、筐体１に固定された固定ベース１２０に対して、電子回路基板６１が封入された基板ケース６２を、表面側はみえるが裏面側が固定ベース１２０（筐体１）に沿って視認できない状態と、裏面側が固定ベース１２０（筐体１）から離れて視認できる状態、例えば、固定ベース１２０に対して９０度以上回転した状態とにすることができる。なお、基板ケース６２の背面が視認できる角度であれば、９０度より小さな角度であってもよい。この際に基板ケース６２が透明なので、基板ケース６２内の電子回路基板６１の表裏面も視認可能となっている。また、電子回路基板６１の表裏面だけでなく、電子回路基板６１と、基板ケース６２との間にある物体も視認することができるので、不正な子基板等が仕込まれた場合には、この子基板等を視認することもできる。
なお、基板ケース６２の全体が透明でなくとも、電子回路基板６１の表面と裏面とがそれぞれ視認可能となっていればよく、例えば、前面板６５や背面板９０の一部に透明の窓を設けることとしてもよい。また、基板ケース６２が、遊技機の揺れ等に伴い、予期せず回動することがないように、基板ケース６２を固定ベース１２０や筐体１に係止等できるようにしてもよい。例えば、基板ケース６２等につまみを設け、このつまみを回すことで、基板ケース６２を回動可能な状態と、回動不可能な状態とで切り替えられるようにできるようにしてもよい。
【００５６】
また、軸封印部材１３０が、かしめピン１４０によって、固定ベース１２０に取り付けられ、これにより、基板ケース６２の固定ベース１２０からの取り外しが規制されるので、基板ケース６２を固定ベース１２０から取り外す際には、かしめピン１４０や軸封印部材１３０等を破壊しなければならないので、取り外した痕跡が残る。したがって、不正な基板ケース６２の取り外しを防止できる。
なお、軸封印部材１３０の固定ベース１２０への取り付けは、かしめピン１４０以外の部材により行ってもよい。例えば、ネジや、結束バンド、その他の固着具等によって取り付けを行ってもよい。
【００５７】
また、基板ケース６２は、固定ベース１２０の回動軸係止部１２２に設けられた軸受部１２３に、基板ケース６２の回動軸７２が係止され、この軸受部１２３および回動軸７２が軸封印部材１３０に覆われることにより、基板ケース６２に収容された電子回路基板６１の表面が視認可能となる位置と、裏面が視認可能となる位置との間で回動可能に支持される。したがって、複雑な構造の部材を必要とせず、低コストで製造することができる。
なお、回動軸７２および回動軸係止部１２２は、上下に離間して２つずつ設けなくてもよい。例えば、これらを１つずつ設けることとする等してもよい。また、固定ベース１２０に回動軸７２を設け、基板ケース６２に回動軸係止部１２２を設けることとしてもよい。
また、固定ベース１２０は、別の部材を介して筐体１に設けられていてもよく、筐体１と一体的に成形されていてもよい。また、筐体１ではなく、前扉３等に設けられていてもよく、この場合も別の部材を介して前扉３等に設けられていてもよい。
【００５８】
また、電子回路基板６１を小役、ボーナス役等の役の当否の抽選や、リールユニット２２、ホッパーユニット５の制御を行う遊技制御基板（主基板）としたが、電子回路基板６１は、表示や音声や照明による演出を制御する演出制御基板（サブ基板）であってもよく、遊技制御基板と演出制御基板の両方であってもよい。また、電子回路基板６１は、遊技機において、何らかの制御に用いられる制御基板ならばどのような制御基板であってもよい。
【００５９】
また、図９に示すように、封印シールカバー１１０は、通常時および回動時において、側面をかしめピン係止部１２５および基板ケース６２に覆われているので、封印シールカバー１１０の取り外しが困難になるだけでなく、予期せぬ衝撃によって、封印シールカバー１１０が取れてしまい、基板ケース６２の封印が解かれやすくなってしまうのを防ぐことができる。
【００６０】
また、かしめ部１４３が、かしめピン係止板１２７に係止されている部分が見えるようになっているので、かしめピン１４０が壊されたり取り外されたりした場合に、目視で確認することができ、不正な基板ケース６２の取り外しを防止することができる。
また、かしめピン１４０の頭部１４１の上面は、軸封印部材１３０の表面と面一、または、この表面よりも頭部１４１の上面が凹部１３３ａ側に凹んだ状態になっており、頭部１４１の上面以外の部分に触れることができないようになっている。したがって、頭部１４１を引っ張ったり、頭部１４１を切り離したりして、かしめピン１４０による封印を解くことができないので、不正な基板ケース６２の取り外しを防止することができる。
【符号の説明】
【００６１】
１  筐体
６０  基板ユニット
６１  電子回路基板
６２  基板ケース
７２  回動軸
１２０  固定ベース
１２３  軸受部
１３０  軸封印部材（封印部材）
１４０  かしめピン（固着具）
【図１】
2018102495.tif 000003
【図２】
2018102495.tif 000004
【図３】
2018102495.tif 000005
【図４】
2018102495.tif 000006
【図５】
2018102495.tif 000007
【図６】
2018102495.tif 000008
【図７】
2018102495.tif 000009
【図８】
2018102495.tif 000010
【図９】
2018102495.tif 000011
【図１０】
2018102495.tif 000012
【図１１】
2018102495.tif 000013